【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
下記化合物の反応を含む方法により製造された油溶性の潤滑油添加剤組成物：
（Ａ）下記の共重合体のうちの少なくとも一種：
（ｉ）下記からなる成分のラジカル共重合により得られた共重合体：
（ａ）少なくとも一種のモノエチレン性の不飽和Ｃ3−Ｃ28モノカルボン酸又はそ
のエステル、またはＣ4−Ｃ28ジカルボン酸、その無水物又はエステル、
（ｂ）炭素原子２〜４０個を含む少なくとも一種の１−オレフィン、または炭素原子４〜３６０個を含み、かつビニル、ビニリデン又はアルキルビニリデン基またはそれらの混合物の形で共重合可能な末端基を持つ少なくとも一種のポリオレフィン、および
（ｃ）(ａ)および(ｂ)の単量体と共重合可能で、かつ下記からなる群より選ばれる少なくとも一種のモノオレフィン化合物：
（１）アルキル基がヒドロキシル、アミノ、ジアルキルアミノまたはアルコキシで置換されているかまたは未置換で、かつ炭素原子１〜４０個を含む、アルキルビニルエーテルおよびアリルアルキルエーテル、
（２）アルキル置換基が炭素原子１〜４０個を含む、炭素原子数３〜１０のモノエチレン性の不飽和モノ又はジカルボン酸のアルキルアミン及びＮ−アルキルアミド、
（３）炭素原子数１〜８のカルボン酸のＮ−ビニルカルボキサミド、
（４）Ｎ−ビニル置換窒素含有複素環化合物、および
（５）炭素原子２〜４０個を含む少なくとも一種の１−オレフィン、または炭素原子４〜３６０個を含み、かつビニル、ビニリデン又はアルキルビニリデン基またはそれらの混合物の形で共重合可能な末端基を持つ少なくとも一種のポリオレフィン、ただし、用いるオレフィンは(ｉ)(ｂ)で用いるオレフィンと同一ではない；
（ii）化合物(ｉ)(ａ)と化合物(ｉ)(ｂ)をラジカル開始剤の存在下で反応させることにより得られた共重合体；
（iii）（ａ）化合物(ｉ)(ａ)を化合物(ｉ)(ｂ)または(ｉ)(ｃ)と、共重合体(ｉ)ま
たは共重合体(ii)または両者の存在下で非ラジカル触媒反応で反応させることにより、あるいは（ｂ）共重合体(ｉ)または共重合体(ii)または両者を、化合物(ｉ)(ａ)と化合物(
ｉ)(ｂ)または(ｉ)(ｃ)との非ラジカル触媒反応による生成物と接触させることにより、
得られた共重合体；
（Ｂ）少なくとも二個のモノカルボン酸又はそのエステルと、または少なくとも二個のジカルボン酸、その無水物又はエステルと、またはそれらの混合物と反応することができる少なくとも一種のエーテル化合物；および
（Ｃ）少なくとも一個のモノカルボン酸又はそのエステルまたはジカルボン酸、その無水物又はエステルと反応することができる少なくとも一種の芳香族化合物。
【請求項２】
少なくとも一種のエーテル化合物(Ｂ)が、エーテルポリアミン、ポリエーテルポリアミン、ポリエーテルアミノアルコール、ポリエーテルアミノチオールおよびポリエーテルポリオールからなる群より選ばれる請求項１に記載の潤滑油添加剤組成物。
【請求項３】
少なくとも一種の芳香族化合物（Ｃ）が下記からなる群より選ばれる請求項１に記載の潤滑油添加剤組成物：
（ａ）下記式で表されるＮ−アリールフェニレンジアミン：
【化１】
2008111122.tif 000001
式中、Ｒ18は、Ｈ、−ＮＨアリール、−ＮＨアルカリール、もしくは炭素原子数４〜２４でアルキル、アルケニル、アルコキシル、アラルキルまたはアルカリールから選ばれる分枝鎖又は直鎖炭化水素基であり、Ｒ19は、−ＮＨ2、−（ＮＨ（ＣＨ2）n）mＮＨ2、−ＮＨアルキル、−ＮＨアラルキル、−ＣＨ2−アリール−ＮＨ2、ただし、ｎおよびｍは各々１〜１０の値を有する、であり、そしてＲ20は、水素、炭素原子数４〜２４のアルキル、アルケニル、アルコキシル、アラルキルまたはアルカリールである、
（ｂ）下記式で表されるアミノカルバゾール：
【化２】
2008111122.tif 000002
式中、Ｒ21およびＲ22は各々独立に、水素、もしくは炭素原子数１〜１４のアルキル基またはアルケニル基を表す、
（ｃ）下記式で表されるアミノ−インダゾリノン：
【化３】
2008111122.tif 000003
式中、Ｒ23は、水素または炭素原子数１〜１４のアルキル基である、
（ｄ）下記式で表されるアミノメルカプトトリアゾール：
【化４】
2008111122.tif 000004
（ｅ）下記式で表されるアミノペリミジン：
【化５】
2008111122.tif 000005
式中、Ｒ24は、水素または炭素原子数１〜１４のアルキル基を表す、
（ｆ）下記式で表されるアリールオキシフェニレンアミン：
【化６】
2008111122.tif 000006
式中、Ｒ25は、Ｈ、−ＮＨアリール、−ＮＨアルカリール、もしくは炭素原子数４〜２４でアルキル、アルケニル、アルコキシル、アラルキルまたはアルカリールであってよい分枝鎖又は直鎖基であり、Ｒ26は、−ＮＨ2、−（ＮＨ（ＣＨ2）n）mＮＨ2、−ＮＨアルキル、または−ＮＨアラルキル、ただし、ｎおよびｍは各々１〜１０の値を有する、であり、そしてＲ27は、水素、炭素原子数４〜２４のアルキル、アルケニル、アルコキシル、アラルキルまたはアルカリールである、
（ｇ）下記式で表される、Ｌ基で結合した２個の芳香族基からなる芳香族アミン：
【化７】
2008111122.tif 000007
式中、Ｌは、−Ｏ−、−Ｎ＝Ｎ−、−ＮＨ−、−ＣＨ2ＮＨ−、−Ｃ（Ｏ）ＮＲ28−、
−Ｃ（Ｏ）Ｏ−、−ＳＯ2−、−ＳＯ2ＮＲ29−、または−ＳＯ2ＮＨ−、ただし、Ｒ28お
よびＲ29は独立に水素、炭素原子数１〜８のアルキル基、アルケニル基またはアルコキシ基を表す、から選ばれ、
Ｙ1、Ｙ2、Ｙ3およびＹ4の各々は独立に、ＮまたはＣＨであり、ただし、Ｙ1とＹ2両方ともがＮであることはない、
Ｒ30およびＲ31は独立に、水素、アルキル、アリール、アルカリール、アラルキル、アルコキシ、ヒドロキシアルキル、アミノアルキル、−ＯＨ、−ＮＯ2、−ＳＯ3Ｈ、−ＳＯ3Ｎａ、−ＣＯ2Ｈ又はその塩、−ＮＲ41Ｒ42、ただし、Ｒ41およびＲ42は独立に水素、アルキル、アリール、アリールアルキルまたはアルカリールである、を表し、
Ｒ32およびＲ33は独立に、水素、炭素原子数１〜８のアルキル基、アルケニル基またはアルコキシ基、−ＯＨ、−ＳＯ3Ｈまたは−ＳＯ3Ｎａを表し、
Ｒ34は、−ＮＨ2、−ＮＨＲ35、ただし、Ｒ35は炭素原子数１〜８のアルキル基またはアルケニル基、−ＣＨ2−（ＣＨ2）n−ＮＨ2または−ＣＨ2−アリール−ＮＨ2であり、そしてｎは０〜１０である、を表す、
（ｈ）アミノチアゾール、アミノベンゾチアゾール、アミノベンゾチアジアゾールおよびアミノアルキルチアゾールからなる群より選ばれるアミノチアゾール、
（ｉ）下記式で表されるアミノインドール：
【化８】
2008111122.tif 000008
式中、Ｒ36は、水素、炭素原子数１〜１４のアルキル基またはアルケニル基を表す、
（ｊ）下記式で表されるアミノピロール：
【化９】
2008111122.tif 000009
式中、Ｒ37は、炭素原子数２〜６の二価アルキレン基を表し、そしてＲ38は、水素、炭素原子数１〜１４のアルキル基またはアルケニル基を表す、
（ｋ）ニトロアニリンまたは４−アミノアセトアニリドなどの環置換又は未置換アニリン、
（ｌ）アミノキノリン、
（ｍ）アミノベンズイミダゾール、
（ｎ）Ｎ，Ｎ−ジアルキルフェニレンジアミン、
（ｏ）ベンジルアミン、および
（ｐ）ベンジルアルコール。
【請求項４】
共重合体(iii)(ｂ)において、該共重合体(ｉ)または共重合体(ii)または両者を成分(Ｃ)の存在下で、化合物(ｉ)(ａ)と化合物(ｉ)(ｂ)または(ｉ)(ｃ)との非ラジカル触媒反応
による生成物と接触させる請求項１に記載の潤滑油添加剤組成物。
【請求項５】
工程（Ａ）において、該共重合体(ｉ)、該共重合体(ii)または該共重合体(iii)を希釈
油と混合し、それにより希釈した共重合体を生成させる請求項１に記載の潤滑油添加剤組成物。
【請求項６】
希釈した共重合体中の油の全量が最大で８０質量％である請求項５に記載の潤滑油添加剤組成物。
【請求項７】
希釈した共重合体中の油の全量が２０質量％乃至６０質量％である請求項６に記載の潤滑油添加剤組成物。
【請求項８】
希釈した共重合体中の油の全量が３０質量％乃至５０質量％である請求項７に記載の潤滑油添加剤組成物。
【請求項９】
エーテル化合物（Ｂ）がポリエーテルポリアミンである請求項１に記載の潤滑油添加剤組成物。
【請求項１０】
ポリエーテルポリアミンが、各アルキレン単位が別個に炭素原子２〜５個を含むポリオキシアルキレンジアミンである請求項９に記載の潤滑油添加剤組成物。
【請求項１１】
オキシアルキレン部が、オキシエチレンまたはオキシプロピレンまたはそれらの混合物である請求項１０に記載の潤滑油添加剤組成物。
【請求項１２】
ポリエーテルポリアミンがポリオキシエチレンジアミンである請求項１１に記載の潤滑油添加剤組成物。
【請求項１３】
共重合体が共重合体(ｉ)である請求項１に記載の潤滑油添加剤組成物。
【請求項１４】
共重合体が共重合体(ii)である請求項１に記載の潤滑油添加剤組成物。
【請求項１５】
共重合体(ii)が、無水マレイン酸とポリイソブチレンとのラジカル触媒反応により得られたポリＰＩＢＳＡである請求項１４に記載の潤滑油添加剤組成物。
【請求項１６】
共重合体が共重合体(iii)である請求項１に記載の潤滑油添加剤組成物。
【請求項１７】
芳香族化合物が下記式を有する芳香族アミンである請求項３に記載の潤滑油添加剤組成物。
【化１０】
2008111122.tif 000010
式中、Ｒ18は、Ｈ、−ＮＨアリール、−ＮＨアルカリール、もしくは炭素原子数４〜２４でアルキル、アルケニル、アルコキシル、アラルキルまたはアルカリールから選ばれる分枝鎖又は直鎖炭化水素基であり、Ｒ19は、−ＮＨ2、−（ＮＨ（ＣＨ2）n）mＮＨ2、−ＮＨアルキル、−ＮＨアラルキル、−ＣＨ2−アリール−ＮＨ2、ただし、ｎおよびｍは各々１〜１０の値を有する、であり、そしてＲ20は、水素、炭素原子数４〜２４のアルキル、アルケニル、アルコキシル、アラルキルまたはアルカリールである。
【請求項１８】
共重合体(ｉ)の化合物(ｉ)(ｂ)が、数平均分子量（Ｍn）が１１２乃至５０００のポリイソブテンである請求項１に記載の潤滑油添加剤組成物。
【請求項１９】
数平均分子量（Ｍn）が５００乃至３０００である請求項１８に記載の潤滑油添加剤組成物。
【請求項２０】
数平均分子量（Ｍn）が１０００乃至２５００である請求項１９に記載の潤滑油添加剤組成物。
【請求項２１】
(ｉ)(ａ)がジカルボン酸、その無水物又はエステルである請求項１に記載の潤滑油添加剤組成物。
【請求項２２】
(ｉ)(ａ)が無水マレイン酸又はそのエステルである請求項２１に記載の潤滑油添加剤組成物。
【請求項２３】
(ｉ)(ｃ)のモノオレフィンが１−オレフィンである請求項１に記載の潤滑油添加剤組成物。
【請求項２４】
主要量の潤滑粘度の油、および下記化合物の反応を含む方法により製造された少量の潤滑油添加剤組成物を含む潤滑油組成物：
（Ａ）下記の共重合体のうちの少なくとも一種：
（ｉ）下記からなる成分のラジカル共重合により得られた共重合体：
（ａ）少なくとも一種のモノエチレン性の不飽和Ｃ3−Ｃ28モノカルボン酸又はそ
のエステル、またはＣ4−Ｃ28ジカルボン酸、その無水物又はエステル、
（ｂ）炭素原子２〜４０個を含む少なくとも一種の１−オレフィン、または炭素原子４〜３６０個を含み、かつビニル、ビニリデン又はアルキルビニリデン基またはそれらの混合物の形で共重合可能な末端基を持つ少なくとも一種のポリオレフィン、および
（ｃ）(ａ)および(ｂ)の単量体と共重合可能で、かつ下記からなる群より選ばれる少なくとも一種のモノオレフィン化合物：
（１）アルキル基がヒドロキシル、アミノ、ジアルキルアミノまたはアルコキシで置換されているかまたは未置換で、かつ炭素原子１〜４０個を含む、アルキルビニルエーテルおよびアリルアルキルエーテル、
（２）アルキル置換基が炭素原子１〜４０個を含む、炭素原子数３〜１０のモノエチレン性の不飽和モノ又はジカルボン酸のアルキルアミン及びＮ−アルキルアミド、
（３）炭素原子数１〜８のカルボン酸のＮ−ビニルカルボキサミド、
（４）Ｎ−ビニル置換窒素含有複素環化合物、および
（５）炭素原子２〜４０個を含む少なくとも一種の１−オレフィン、または炭素原子４〜３６０個を含み、かつビニル、ビニリデン又はアルキルビニリデン基またはそれらの混合物の形で共重合可能な末端基を持つ少なくとも一種のポリオレフィン、ただし、用いるオレフィンは(ｉ)(ｂ)で用いるオレフィンと同一ではない；
（ii）化合物(ｉ)(ａ)と化合物(ｉ)(ｂ)をラジカル開始剤の存在下で反応させることにより得られた共重合体；
（iii）（ａ）化合物(ｉ)(ａ)を化合物(ｉ)(ｂ)または(ｉ)(ｃ)と、共重合体(ｉ)ま
たは共重合体(ii)または両者の存在下で非ラジカル触媒反応で反応させることにより、あるいは（ｂ）共重合体(ｉ)または共重合体(ii)または両者を、化合物(ｉ)(ａ)と化合物(
ｉ)(ｂ)または(ｉ)(ｃ)との非ラジカル触媒反応による生成物と接触させることにより、
得られた共重合体；
（Ｂ）少なくとも二個のモノカルボン酸又はそのエステルと、または少なくとも二個のジカルボン酸、その無水物又はエステルと、またはそれらの混合物と反応することができる少なくとも一種のエーテル化合物；および
（Ｃ）少なくとも一個のモノカルボン酸又はそのエステルまたはジカルボン酸、その無水物又はエステルと反応することができる少なくとも一種の芳香族化合物。
【請求項２５】
少なくとも一種のエーテル化合物(Ｂ)が、エーテルポリアミン、ポリエーテルポリアミン、ポリエーテルアミノアルコール、ポリエーテルアミノチオールおよびポリエーテルポリオールからなる群より選ばれる請求項２４に記載の潤滑油組成物。
【請求項２６】
少なくとも一種の芳香族化合物（Ｃ）が下記からなる群より選ばれる請求項２４に記載の潤滑油組成物：
（ａ）下記式で表される、Ｌ基で結合した２個の芳香族基からなる芳香族アミン：
【化１１】
2008111122.tif 000011
式中、Ｌは、−Ｏ−、−Ｎ＝Ｎ−、−ＮＨ−、−ＣＨ2ＮＨ−、−Ｃ（Ｏ）ＮＲ28−、
−Ｃ（Ｏ）Ｏ−、−ＳＯ2−、−ＳＯ2ＮＲ29−、または−ＳＯ2ＮＨ−、ただし、Ｒ28お
よびＲ29は独立に水素、炭素原子数１〜８のアルキル基、アルケニル基またはアルコキシ基を表す、から選ばれ、
各Ｙ1、Ｙ2、Ｙ3およびＹ4は独立に、ＮまたはＣＨであり、ただし、Ｙ1とＹ2両方ともがＮであることはない、
Ｒ30およびＲ31は独立に、水素、アルキル、アリール、アルカリール、アラルキル、アルコキシ、ヒドロキシアルキル、アミノアルキル、−ＯＨ、−ＮＯ2、−ＳＯ3Ｈ、−ＳＯ3Ｎａ、−ＣＯ2Ｈ又はその塩、−ＮＲ41Ｒ42（ただし、Ｒ41およびＲ42は独立に水素、アルキル、アリール、アリールアルキルまたはアルカリールである）を表し、
Ｒ32およびＲ33は独立に、水素、炭素原子数１〜８のアルキル基、アルケニル基またはアルコキシ基、−ＯＨ、−ＳＯ3Ｈまたは−ＳＯ3Ｎａを表し、
Ｒ34は、−ＮＨ2、−ＮＨＲ35、ただし、Ｒ35は炭素原子数１〜８のアルキル基またはアルケニル基、−ＣＨ2−（ＣＨ2）n−ＮＨ2または−ＣＨ2−アリール−ＮＨ2であり、そしてｎは０〜１０である）を表す、
（ｂ）アミノチアゾール、アミノベンゾチアゾール、アミノベンゾチアジアゾールおよびアミノアルキルチアゾールからなる群より選ばれるアミノチアゾール、
（ｃ）下記式で表されるアミノインドール：
【化１２】
2008111122.tif 000012
式中、Ｒ36は、水素、炭素原子数１〜１４のアルキル基またはアルケニル基を表す、
（ｄ）下記式で表されるアミノピロール：
【化１３】
2008111122.tif 000013
式中、Ｒ37は、炭素原子数２〜６の二価アルキレン基を表し、そしてＲ38は、水素、炭素原子数１〜１４のアルキル基またはアルケニル基を表す、
（ｅ）ニトロアニリンまたは４−アミノアセトアニリドなどの環置換又は未置換アニリン、
（ｆ）アミノキノリン、
（ｇ）アミノベンズイミダゾール、
（ｈ）Ｎ，Ｎ−ジアルキルフェニレンジアミン、
（ｉ）ベンジルアミン、および
（ｊ）ベンジルアルコール。
【請求項２７】
共重合体(iii)(ｂ)において、該共重合体(ｉ)または共重合体(ii)または両者を成分(Ｃ)の存在下で、化合物(ｉ)(ａ)と化合物(ｉ)(ｂ)または(ｉ)(ｃ)との非ラジカル触媒反応
による生成物と接触させる請求項２４に記載の潤滑油組成物。
【請求項２８】
工程（Ａ）において、該共重合体(ｉ)、該共重合体(ii)または該共重合体(iii)を希釈
油と混合し、それにより希釈した共重合体を生成させる請求項２４に記載の潤滑油組成物。
【請求項２９】
希釈した共重合体中の油の全量が最大で８０質量％である請求項２８に記載の潤滑油組成物。
【請求項３０】
希釈した共重合体中の油の全量が２０質量％乃至６０質量％である請求項２９に記載の潤滑油組成物。
【請求項３１】
希釈した共重合体中の油の全量が３０質量％乃至５０質量％である請求項３０に記載の潤滑油組成物。
【請求項３２】
エーテル化合物（Ｂ）がポリエーテルポリアミンである請求項２４に記載の潤滑油組成物。
【請求項３３】
ポリエーテルポリアミンが、各アルキレン単位が別個に炭素原子２〜５個を含むポリオキシアルキレンジアミンである請求項３２に記載の潤滑油組成物。
【請求項３４】
オキシアルキレン部が、オキシエチレンまたはオキシプロピレンまたはそれらの混合物である請求項３３に記載の潤滑油組成物。
【請求項３５】
ポリエーテルポリアミンがポリオキシエチレンジアミンである請求項３４に記載の潤滑油組成物。
【請求項３６】
共重合体が共重合体(ｉ)である請求項２４に記載の潤滑油組成物。
【請求項３７】
共重合体が共重合体(ii)である請求項２４に記載の潤滑油組成物。
【請求項３８】
共重合体(ii)が、無水マレイン酸とポリイソブチレンとのラジカル触媒反応により得られたポリＰＩＢＳＡである請求項３７に記載の潤滑油組成物。
【請求項３９】
共重合体が共重合体(iii)である請求項２４に記載の潤滑油組成物。
【請求項４０】
少なくとも一種の芳香族化合物（Ｃ）が、４−（４−ニトロフェニルアゾ）アニリン、４−フェニルアゾアニリン、Ｎ−（４−アミノフェニル）アセトアミド、４−ベンゾイルアミン一２，５−ジメトキシアニリン、４−フェノキシアニリンおよび３−ニトロアニリンからなる群より選ばれる請求項２４に記載の潤滑油組成物。
【請求項４１】
共重合体(ｉ)の化合物(ｉ)(ｂ)が、数平均分子量（Ｍn）が１１２乃至５０００のポリイソブテンである請求項２４に記載の潤滑油組成物。
【請求項４２】
数平均分子量（Ｍn）が５００乃至３０００である請求項４１に記載の潤滑油組成物。
【請求項４３】
数平均分子量（Ｍn）が１０００乃至２５００である請求項４２に記載の潤滑油組成物。
【請求項４４】
(ｉ)(ａ)がジカルボン酸、その無水物又はエステルである請求項２４に記載の潤滑油組成物。
【請求項４５】
(ｉ)(ａ)が無水マレイン酸又はそのエステルである請求項４４に記載の潤滑油組成物。
【請求項４６】
(ｉ)(ｃ)のモノオレフィンが１−オレフィンである請求項２４に記載の潤滑油組成物。
【請求項４７】
下記化合物の反応を含む潤滑油添加剤組成物の製造方法：
（Ａ）下記の共重合体のうちの少なくとも一種：
（ｉ）下記からなる成分のラジカル共重合により得られた共重合体：
（ａ）少なくとも一種のモノエチレン性の不飽和Ｃ3−Ｃ28モノカルボン酸又はそ
のエステル、またはＣ4−Ｃ28ジカルボン酸、その無水物又はエステル、
（ｂ）炭素原子２〜４０個を含む少なくとも一種の１−オレフィン、または炭素原子４〜３６０個を含み、かつビニル、ビニリデン又はアルキルビニリデン基またはそれらの混合物の形で共重合可能な末端基を持つ少なくとも一種のポリオレフィン、および
（ｃ）(ａ)および(ｂ)の単量体と共重合可能で、かつ下記からなる群より選ばれる少なくとも一種のモノオレフィン化合物：
（１）アルキル基がヒドロキシル、アミノ、ジアルキルアミノまたはアルコキシで置換されているかまたは未置換で、かつ炭素原子１〜４０個を含む、アルキルビニルエーテルおよびアリルアルキルエーテル、
（２）アルキル置換基が炭素原子１〜４０個を含む、炭素原子数３〜１０のモノエチレン性の不飽和モノ又はジカルボン酸のアルキルアミン及びＮ−アルキルアミド、
（３）炭素原子数１〜８のカルボン酸のＮ−ビニルカルボキサミド、
（４）Ｎ−ビニル置換窒素含有複素環化合物、および
（５）炭素原子２〜４０個を含む少なくとも一種の１−オレフィン、または炭素原子４〜３６０個を含み、かつビニル、ビニリデン又はアルキルビニリデン基またはそれらの混合物の形で共重合可能な末端基を持つ少なくとも一種のポリオレフィン、ただし、用いるオレフィンは(ｉ)(ｂ)で用いるオレフィンと同一ではない；
（iii）化合物(ｉ)(ａ)と化合物(ｉ)(ｂ)をラジカル開始剤の存在下で反応させるこ
とにより得られた共重合体；
（iii）（ａ）化合物(ｉ)(ａ)を化合物(ｉ)(ｂ)または(ｉ)(ｃ)と、共重合体(ｉ)ま
たは共重合体(ii)または両者の存在下で非ラジカル触媒反応で反応させることにより、あるいは（ｂ）共重合体(ｉ)または共重合体(ii)または両者を、化合物(ｉ)(ａ)と化合物(
ｉ)(ｂ)または(ｉ)(ｃ)との非ラジカル触媒反応による生成物と接触させることにより、
得られた共重合体；
（Ｂ）エーテルポリアミン、ポリエーテルポリアミン、ポリエーテルアミノアルコール、ポリエーテルアミノチオールおよびポリエーテルポリオールからなる群より選ばれる少なくとも一種のエーテル化合物；および
（Ｃ）少なくとも一個のモノカルボン酸又はそのエステルまたはジカルボン酸、その無水物又はエステルと反応することができる少なくとも一種の芳香族化合物。
【請求項４８】
少なくとも一種の芳香族化合物が下記からなる群より選ばれる請求項４７に記載の潤滑油組成物：
（ａ）下記式で表される、Ｌ基で結合した２個の芳香族基からなる芳香族アミン：
【化１４】
2008111122.tif 000014
式中、Ｌは、−Ｏ−、−Ｎ＝Ｎ−、−ＮＨ−、−ＣＨ2ＮＨ−、−Ｃ（Ｏ）ＮＲ28−、
−Ｃ（Ｏ）Ｏ−、−ＳＯ2−、−ＳＯ2ＮＲ29−、または−ＳＯ2ＮＨ−、ただし、Ｒ28お
よびＲ29は独立に水素、炭素原子数１〜８のアルキル基、アルケニル基またはアルコキシ基を表す、から選ばれ、
各Ｙ1、Ｙ2、Ｙ3およびＹ4は独立に、ＮまたはＣＨであり、ただし、Ｙ1とＹ2両方ともがＮであることはない、
Ｒ30およびＲ31は独立に、水素、アルキル、アリール、アルカリール、アラルキル、アルコキシ、ヒドロキシアルキル、アミノアルキル、−ＯＨ、−ＮＯ2、−ＳＯ3Ｈ、−ＳＯ3Ｎａ、−ＣＯ2Ｈ又はその塩、−ＮＲ41Ｒ42、ただし、Ｒ41およびＲ42は独立に水素、アルキル、アリール、アリールアルキルまたはアルカリールである、を表し、
Ｒ32およびＲ33は独立に、水素、炭素原子数１〜８のアルキル基、アルケニル基またはアルコキシ基、−ＯＨ、−ＳＯ3Ｈまたは−ＳＯ3Ｎａを表し、
Ｒ34は、−ＮＨ2、−ＮＨＲ35、ただし、Ｒ35は炭素原子数１〜８のアルキル基またはアルケニル基、−ＣＨ2−（ＣＨ2）n−ＮＨ2または−ＣＨ2−アリール−ＮＨ2であり、そしてｎは０〜１０である、を表す、
（ｂ）アミノチアゾール、アミノベンゾチアゾール、アミノベンゾチアジアゾールおよびアミノアルキルチアゾールからなる群より選ばれるアミノチアゾール、
（ｃ）下記式で表されるアミノインドール：
【化１５】
2008111122.tif 000015
式中、Ｒ36は、水素、炭素原子数１〜１４のアルキル基またはアルケニル基を表す、
（ｄ）下記式で表されるアミノピロール：
【化１６】
2008111122.tif 000016
式中、Ｒ37は、炭素原子数２〜６の二価アルキレン基を表し、そしてＲ38は、水素、炭素原子数１〜１４のアルキル基またはアルケニル基を表す、
（ｅ）ニトロアニリンまたは４−アミノアセトアニリドなどの環置換又は未置換アニリン、
（ｆ）アミノキノリン、
（ｇ）アミノベンズイミダゾール、
（ｈ）Ｎ，Ｎ−ジアルキルフェニレンジアミン、
（ｉ）ベンジルアミン、および
（ｊ）ベンジルアルコール。
【請求項４９】
共重合体(iii)(ｂ)において、該共重合体(ｉ)または共重合体(ii)または両者を成分(Ｃ)の存在下で、化合物(ｉ)(ａ)と化合物(ｉ)(ｂ)または(ｉ)(ｃ)との非ラジカル触媒反応
による生成物と接触させる請求項４７に記載の潤滑油添加剤組成物の製造方法。
【請求項５０】
工程（Ａ）において、該共重合体(ｉ)、該共重合体(ii)または該共重合体(iii)を希釈
油と混合し、それにより希釈した共重合体を生成させる請求項４７に記載の潤滑油添加剤組成物の製造方法。
【請求項５１】
希釈した共重合体中の油の全量が最大で８０質量％である請求項５０に記載の潤滑油添加剤組成物の製造方法。
【請求項５２】
希釈した共重合体中の油の全量が２０質量％乃至６０質量％である請求項５１に記載の潤滑油添加剤組成物の製造方法。
【請求項５３】
希釈した共重合体中の油の全量が３０質量％乃至５０質量％である請求項５２に記載の潤滑油添加剤組成物の製造方法。
【請求項５４】
内燃機関内のスス分散性、スラッジ分散性または両方を改善する方法であって、主要量の潤滑粘度の油および有効量の請求項１に記載の潤滑油添加剤組成物を含む潤滑油組成物を用いて、機関を作動させることからなる方法。
【請求項５５】
化合物が下記式を有する請求項３に記載の潤滑油添加剤組成物。
【化１７】
2008111122.tif 000017
式中、Ｌは、−Ｏ−、−Ｎ＝Ｎ−、−ＮＨ−または−ＣＨ2ＮＨ−から選ばれ、
Ｒ30およびＲ31は独立に、水素、アルキル、アリール、アルカリール、アラルキル、アルコキシ、ヒドロキシアルキル、アミノアルキル、−ＯＨ、−ＮＯ2、または−ＮＲ41Ｒ42、ただし、Ｒ41およびＲ42は独立に水素、アルキル、アリール、アリールアルキルまた
はアルカリールである、を表し、
Ｒ32およびＲ33は独立に、水素、炭素原子数１〜８のアルキル基、アルケニル基またはアルコキシ基、または−ＯＨを表し、
Ｒ34は、−ＮＨ2、−ＮＨＲ35、ただし、Ｒ35は炭素原子数１〜８のアルキル基またはアルケニル基、−ＣＨ2−（ＣＨ2）n−ＮＨ2または−ＣＨ2−アリール−ＮＨ2であり、そしてｎは０〜１０である、を表す、
ただし、Ｒ34が−ＮＨＲ35、ただし、Ｒ35は炭素原子数１〜８のアルキル基またはアルケニル基である、であるときには、Ｌは−ＮＨ−または−ＣＨ2−ＮＨ−であるか、あるいはＲ30またはＲ31は−ＯＨまたは−ＮＲ41Ｒ42、ただし、少なくとも一方のＲ41またはＲ42は水素である、であるか、あるいはＲ32またはＲ33は−ＯＨである。
【請求項５６】
芳香族化合物が、４−ベンゾイルアミン−２，５−ジメトキシアニリン、またはＮ−（４−アミノフェニル）アセトアミドである請求項３に記載の潤滑油添加剤組成物。
【請求項５７】
芳香族化合物が３−ニトロアニリンである請求項３に記載の潤滑油添加剤組成物。
【請求項５８】
芳香族化合物がＮ−フェニル−１，４−フェニレンジアミンである請求項１７に記載の潤滑油添加剤組成物。
【請求項５９】
芳香族化合物が、４−（４−ニトロフェニルアゾ）アニリン、または４−フェニルアゾアニリンである請求項５５に記載の潤滑油添加剤組成物。
【請求項６０】
芳香族化合物が４−フェノキシアニリンである請求項５５に記載の潤滑油添加剤組成物。